(57)【要約】【課題】装置のモバイル性を保持しつつ、長時間の使用が可能で、高い広告宣伝機能を発揮する広告パネルを提供すること。【解決手段】サンドイッチ型広告パネルおよびプラカード型広告パネルを、少なくとも以下の（１）から（７）の要件；（１）電気接続差込口が設けられた外枠体、（２）外枠体の内側に収納される有機ＥＬ板からなるディスプレイ、（３）スピーカー、（４）映像および音声が受信可能なインターネット無線受信機、（５）インターネット無線受信機により受信した映像をディスプレイに表示可能とし、音声をスピーカーから発生可能とする装置、（６）太陽光発電パネル、（７）太陽光発電パネルによって発電された電力を蓄電するバッテリー、を有するものとする。【選択図】図１
2010176113.tif 000002
【特許請求の範囲】
【請求項１】
少なくとも以下の（１）から（７）の要件；
（１）電気接続差込口が設けられた外枠体、
（２）外枠体の内側に収納される有機ＥＬ板からなるディスプレイ、
（３）スピーカー、
（４）映像および音声が受信可能なインターネット無線受信機、
（５）インターネット無線受信機により受信した映像をディスプレイに表示可能とし、音声をスピーカーから発生可能とする装置、
（６）太陽光発電パネル、
（７）太陽光発電パネルによって発電された電力を蓄電するバッテリー、
を有することを特徴とする広告パネル。
【請求項２】
広告パネルは、身体に装着脱または保持自在であり、装着または保持時に、ディスプレイが人体の前面と背面に配置されるサンドイッチ型であることを特徴とする請求項１の広告パネル。
【請求項３】
広告パネルは、持ち手部を有するプラカード型であること請求項１の広告パネル。
【請求項４】
太陽光発電パネルが帽子型であることを特徴とする請求項１から３のいずれか広告パネル。
【請求項５】
インターネット無線受信機が、インターネット機能を有する調整器付携帯電話であることを特徴とする請求項１から４のいずれかの広告パネル。
【請求項６】
映像情報および音声情報を記憶し、ディスプレイおよびスピーカーによる再現を可能とする記憶装置を有することを特徴とする請求項１から５のいずれかの広告パネル。
【請求項７】
短距離無線機能を備え付けて、付近に待機する車両の中のコンピュータで操作、配信された広告映像を表示可能としたことを特徴とする請求項１から６のいずれかの広告パネル。
【発明の詳細な説明】
【技術分野】
【０００１】
本発明は、広告パネルに関する。さらに詳しくは、サンドイッチ型広告パネルおよびプラカード型広告パネルに関するものである。
【背景技術】
【０００２】
従来から、屋外において、身体の前面と背面にプラカードを吊り下げて市街を歩く人、すなわちサンドイッチマンによる広告・宣伝が行なわれている。また、プラカードを掲げ持って市街を歩いて宣伝する方法も一般的に行なわれている。
【０００３】
しかしながら、これらの広告・宣伝方法においては、厚紙にポスターを貼り付けたものなどをプラカードとしていることが多く、広告宣伝の重大な使命である視認効果は、極めて低く、また、単一の広告しかできない等問題があった。
【０００４】
そこで、視認効果に優れた広告パネルとして、例えば、発光ディスプレイを有し、夜間でも広告内容を訴求できるサンドイッチ型広告パネルが提案されている（特許文献１）。また、コンビニエンスストアなどの店内で従業者が着用する制服として、ディスプレイなどの広告表示部材が設けられた被服が提案されている（特許文献２）。
【先行技術文献】
【特許文献】
【０００５】
【特許文献１】実用新案登録第3126352号
【特許文献２】ＷＯ2003/028496
【発明の概要】
【発明が解決しようとする課題】
【０００６】
しかしながら、特許文献１、２においては、ディスプレイに映像を表示するための発電装置などについての具体的な検討がなされておらず、装置のモバイル性を保持しつつ、長時間の使用を可能とする方法等については現状では提案されていない。また、映像の配信方法についても具体的な提案はなされておらず、高い広告宣伝機能が実現されているとは言い難かった。
【０００７】
本発明は、以上のような事情に鑑みてなされたものであり、装置のモバイル性を保持しつつ、長時間の使用が可能で、高い広告宣伝機能を発揮する広告パネルを提供することを課題としている。
【課題を解決するための手段】
【０００８】
上記の課題を解決するため、本発明の広告パネルは以下のことを特徴としている。
＜１＞少なくとも以下の（１）から（７）の要件；（１）電気接続差込口が設けられた外枠体、（２）外枠体の内側に収納される有機ＥＬ板からなるディスプレイ、（３）スピーカー、（４）映像および音声が受信可能なインターネット無線受信機、（５）インターネット無線受信機により受信した映像をディスプレイに表示可能とし、音声をスピーカーから発生可能とする装置、（６）太陽光発電パネル、（７）太陽光発電パネルによって発電された電力を蓄電するバッテリー、を有する。
＜２＞身体に装着脱または保持自在であり、装着または保持時に、ディスプレイが人体の前面と背面に配置されるサンドイッチ型である。
＜３＞持ち手部を有するプラカード型である。
＜４＞太陽光発電パネルが帽子型である。
＜５＞インターネット無線受信機が、インターネット機能を有する調整器付携帯電話である。
＜６＞映像情報および音声情報を記憶し、ディスプレイおよびスピーカーによる再現を可能とする記憶装置を有する。
＜７＞短距離無線機能を備え付けて、付近に待機する車両の中のコンピュータで操作、配信された広告映像を表示可能とした。
【発明の効果】
【０００９】
本発明の広告パネルは、従来の紙製のポスターを貼ったプラカード等とは異なり、インターネット送信センターからの映像、音声をインターネット無線受信機によって受信し、ディスプレイに映し出すことができ、また、音声もスピーカーから発生させることができる。例えば、その映像は静止画を数十枚も約１５分から１分ほどの間隔で映し出したり、動画を映し出したりする事により、画面が移動して視認効果を高め、１枚のパネルによって数十社の広告を映し出すことができ、また、音声を同時に流すことが出来るため聴覚にも訴えて、より広告宣伝の効果を高めることができるもので、従来のプラカード方式よりはるかに多額の広告費を稼ぎ出すことができる。
【００１０】
さらに、本発明の広告パネルは、太陽発電パネルおよびバッテリーを有しているため、モバイル性を保持しつつ、長時間の使用が可能である。
【００１１】
また、インターネット無線受信機が、インターネット機能を有する調整器付携帯電話である場合には、装置の設計が容易であり、さらに装置の小型化も実現されるため、モバイル性が向上する。
【図面の簡単な説明】
【００１２】
【図１】（Ａ）サンドイッチ型広告パネルの正面図、（Ｂ）サンドイッチ型広告パネルを装着した側面図である。
【図２】（Ａ）プラカード型広告パネルの正面図と（Ｂ）側面図である。
【発明を実施するための形態】
【００１３】
本発明の広告パネルは、主に屋外やイベント会場等での宣伝広告活動に利用されるサンドイッチ型およびプラカード型の広告パネルである。
【００１４】
ここで、「サンドイッチ型の広告パネル」とは、図１に例示するように、身体に装着脱または保持自在であって、広告面を身体の前面と背面に提示可能である広告パネルをいう。すなわち、広告面を、前面および背面の両面、または、いずれか一方の面において提示することができる。本発明においては、例えば、肩紐などを使用して広告面を身体の前面および背面に提示することができる。この場合、長時間の宣伝広告活動ができるように、肩紐は、肩への負荷が軽減される素材、形状のものが好ましい。また、適宜、ベルトなどを併用することもできる。
【００１５】
また、「プラカード型の広告パネル」とは、図２に例示するように、手で保持可能な持ち手部１０によって広告面を掲げて提示する広告パネルをいう。本発明においては、持ち手部１０の長さ、材質等は適宜選択することができる。なお、持ち手部１０は、必ずしも手で保持する必要はなく、地面に固定したり、移動手段として車輪などを設けてもよい。
【００１６】
上記いずれの広告パネルも、広告面を提示しながら市街等を歩くなどして宣伝広告を行うものである。
【００１７】
そして、図１（Ａ）（Ｂ）、図２（Ａ）（Ｂ）に示すように、本発明の広告パネル１は、広告面に映像を表示可能なディスプレイ２を使用するとともにスピーカー３を備えることで、視覚・聴覚に訴える宣伝広告を行うことができる。
【００１８】
具体的には、本発明の広告パネル１におけるディスプレイ２には、有機ＥＬ板または軽量薄型液晶等ディスプレイを採用することができる。有機ＥＬ板等を採用することで、薄く、軽量で、柔軟性のある映像表示ディスプレイを形成することができる。したがって、長時間持ち歩くことが容易であり、屋外での宣伝活動に適している。また、ディスプレイ２の大きさは、宣伝効果、モバイル性を考慮して、適宜決定することができる。一般的に、ディスプレイ２が大きい場合には、宣伝効果は大きいが、モバイル性は低下する。
【００１９】
そして、ディスプレイ２は、電力を受け取るための電気接続差込口４が設けられた外枠体５の内側に収納されている。外枠体５によって、ディスプレイ２が保護され、破損等が防止される。
【００２０】
また、本発明の広告パネル１に設けられるスピーカー３は、宣伝広告活動に十分な音量、音質を確保できるものであればよく、スピーカー３の種類、配設位置は特に限定されない。
【００２１】
さらに、本発明の広告パネル１は、映像および音声が受信可能なインターネット無線受信機６を備え、さらに、インターネット無線受信機６により受信した映像および音声を、ディスプレイに映像を表示可能とし、スピーカーから発生可能とする装置（図示していない）を有している。これによって、インターネット上の映像をディスプレイ２に表示することもできるし、自らが作成した映像、音楽などのインターネットを介して表示して宣伝等することもできる。したがって、視覚・聴覚効果に優れ、多様な映像・音声の中から、宣伝する周辺の状況に適したもの、宣伝対象の商品等のイメージにあったものを適宜選択できるため、宣伝広告機能が極めて高く、汎用性も高い。
【００２２】
映像表示の内容としては、例えば、その映像は静止画を数十枚も約１５分から１分ほどの間隔で映し出したり、動画を映し出したりする事により、画面が移動して視認効果を高め、１枚のパネルによって数十社の広告を映し出すことができるため、多額の広告費を稼ぎ出すことができる。
【００２３】
さらに、例えば、本発明の広告パネル１を屋外で使用する場合には、宣伝広告活動をする人の付近に待機する車両等の中から、コンピュータで操作した広告映像を配信して、インターネット無線受信機６により受信し、この映像をディスプレイ２に表示することもできる。この場合、インターネット無線受信機６は、短距離の映像配信に適した短距離無線機能を備えたものを使用することが好ましい。
【００２４】
また、本発明の広告パネル１には、映像情報、音声情報を記憶するための記憶装置（図示していない）を設けることもできる。例えば、ＵＳＢやＣＤに記憶された情報をこの記憶装置に記憶させて、記憶した情報をディスプレイおよびスピーカーに再現することもできる。
【００２５】
さらに、本発明においては、インターネット無線受信機６として、インターネット機能を有する調整器付携帯電話を使用することができる。
【００２６】
ここで、「調整器」とは、携帯電話の表示画面を、本発明の広告パネル１のディスプレイ２に表示するための機器をいう。一般に、携帯電話の表示画面は小さく、広告表示面としてそのまま使用することはできない。従って、調整器によって、携帯電話の表示画面を、広告表示面としての大きなディスプレイ２に表示可能とする必要があるからである。
【００２７】
そして、インターネット無線受信機６としてインターネット機能を有する調整器付携帯電話を使用する場合には、装置の設計が容易であり、装置の小型化が実現されるため、さらにモバイル性が向上する。
【００２８】
さらに、本発明の広告パネル１は、太陽光発電パネル７および太陽光発電パネルによって発電された電力を蓄電するバッテリー８を備えている。太陽光発電パネル７は、発電に十分な太陽光が得られる位置に配設する。例えば、図１、図２に例示するように、ディスプレイ２の上部に設けることで、十分な発電効果が得られる。また、図１（Ｂ）に例示するように帽子型の太陽光発電パネル９を、宣伝広告を行う人の頭部に装着することによって、一層大きな発電効果を得ることができる。そして、太陽光発電パネル７によって発電され、バッテリー８に蓄えられた電力は、電線を通じて、ディスプレイ、スピーカーなどの各装置に供給される。また、バッテリー８は、家庭用電源を利用して蓄電することもでき、太陽光発電パネル７による蓄電と併用または選択して使用することができる。
【００２９】
このように、本発明の広告パネル１は、太陽光発電パネル７およびバッテリー８を備えることで、外部からの電力供給を受ける必要がないため、モバイル性を保持しつつ、長時間にわたって映像および音声による宣伝広告を行うことができる。
【００３０】
以上の通り、本発明の広告パネルによれば、視覚・聴覚効果に優れた宣伝広告が可能であるのみならず、太陽発電パネルおよびバッテリーを有しているため、モバイル性を保持しつつ、長時間の使用が可能である。さらに、インターネット無線受信機が、インターネット機能を有する調整器付携帯電話である場合には、装置の設計が容易であり、さらに、装置の小型化も実現されるため、モバイル性が向上する。
【符号の説明】
【００３１】
１  広告パネル
２  ディスプレイ
３  スピーカー
４  電気接続差込口
５  外枠体
６  インターネット無線受信機
７  太陽光発電パネル
８  バッテリー
９  帽子型太陽光発電パネル
１０  持ち手部
【図１】
2010176113.tif 000003
【図２】
2010176113.tif 000004